(57)【要約】      （修正有）【課題】部屋の外部から侵入者が侵入してくることを防ぐことが可能な開閉体ロック装置を提供する。【解決手段】窓ロック装置１０は、人感センサにて部屋の中で引き違い窓から所定範囲内に人が存在するか否かを検知し、窓検知センサ１４にて引き違い窓の開閉状態を検知している。窓ロック装置１０は、人感センサにて人の不在を検知している場合に、窓検知センサ１４にて引き違い窓が開けられたことを検知したとき、引き違い窓が所定量以上開けられないように窓ロック機構１５にてロックする。【選択図】図４
2016151122.tif 000002
【特許請求の範囲】
【請求項１】
部屋に設けられた開閉体の開閉状態を検知する検知センサと、
前記部屋の中で前記開閉体から所定範囲内の人の存在又は不在を検知する人感センサによって人の不在が検知されている場合に前記検知センサが閉状態の前記開閉体が開けられたことを検知したとき、前記開閉体が所定量以上開けられないようにロックするロック機構と
を備えることを特徴とする開閉体ロック装置。
【請求項２】
前記ロック機構は、前記人感センサによって人の存在が検知されている場合、前記開閉体をロックしないようにしてあることを特徴とする請求項１に記載の開閉体ロック装置。
【請求項３】
前記人感センサによって人の不在が検知されている場合に前記検知センサが閉状態の前記開閉体が開けられたことを検知したとき、所定機器に通知する通知部
を更に備えることを特徴とする請求項１又は２に記載の開閉体ロック装置。
【請求項４】
前記通知部は、前記ロック機構によって前記開閉体がロックされたことを通知するようにしてあることを特徴とする請求項３に記載の開閉体ロック装置。
【請求項５】
前記ロック機構は、前記開閉体をロックしている場合に前記人感センサによって人の存在が検知されたとき、前記開閉体のロックを解除するようにしてあることを特徴とする請求項１から４までのいずれかひとつに記載の開閉体ロック装置。
【発明の詳細な説明】
【技術分野】
【０００１】
本発明は、部屋に設けられた窓やドア等の開閉体をロックする開閉体ロック装置に関する。
【背景技術】
【０００２】
住居、店舗、工場及び倉庫等の家屋の窓やドア等の開閉状態を検知し、窓やドア等が開けられたことを検知した場合、例えばブザーを鳴動させて侵入者に警告を発するセキュリティシステムが提案されている（例えば特許文献１）。
【先行技術文献】
【特許文献】
【０００３】
【特許文献１】特開２００８−２１７５１９号公報
【発明の概要】
【発明が解決しようとする課題】
【０００４】
特許文献１に開示されたシステムでは、窓やドア等が開けられたことを検知でき、また、侵入者に警告することはできるが、開けられた窓やドア等から侵入者が侵入することを防ぐことはできないという問題がある。
【０００５】
本発明は、斯かる事情に鑑みてなされたものであり、その目的とするところは、侵入者の侵入を防ぐことが可能な開閉体ロック装置を提供することにある。
【課題を解決するための手段】
【０００６】
本発明に係る開閉体ロック装置は、部屋に設けられた開閉体の開閉状態を検知する検知センサと、前記部屋の中で前記開閉体から所定範囲内の人の存在又は不在を検知する人感センサによって人の不在が検知されている場合に前記検知センサが閉状態の前記開閉体が開けられたことを検知したとき、前記開閉体が所定量以上開けられないようにロックするロック機構とを備えることを特徴とする。
【０００７】
本発明に係る開閉体ロック装置は、前記ロック機構は、前記人感センサによって人の存在が検知されている場合、前記開閉体をロックしないようにしてあることを特徴とする。
【０００８】
本発明に係る開閉体ロック装置は、前記人感センサによって人の不在が検知されている場合に前記検知センサが閉状態の前記開閉体が開けられたことを検知したとき、所定機器に通知する通知部を更に備えることを特徴とする。
【０００９】
本発明に係る開閉体ロック装置は、前記通知部は、前記ロック機構によって前記開閉体がロックされたことを通知するようにしてあることを特徴とする。
【００１０】
本発明に係る開閉体ロック装置は、前記ロック機構は、前記開閉体をロックしている場合に前記人感センサによって人の存在が検知されたとき、前記開閉体のロックを解除するようにしてあることを特徴とする。
【発明の効果】
【００１１】
本発明では、部屋の外にいる侵入者が窓やドア等を開けて侵入してくることを防ぐことができる。
【図面の簡単な説明】
【００１２】
【図１】実施形態１に係る窓ロック装置の外観斜視図である。
【図２】引き違い窓に対する窓ロック装置の取付状態を示す模式図である。
【図３】窓ロック装置の外観斜視図である。
【図４】センサユニットの内部構成を示すブロック図である。
【図５】センサユニットの筐体内部の構成例を示す模式図である。
【図６】窓ロック装置による窓ロック処理の手順を示すフローチャートである。
【図７】窓ロック装置による窓ロック処理を説明するための模式図である。
【図８】窓ロック機構の変形例を示す模式図である。
【図９】実施形態３の窓ロックシステムの構成を示すブロック図である。
【図１０】コントローラが行う処理の手順を示すフローチャートである。
【発明を実施するための形態】
【００１３】
以下に、本発明に係る開閉体ロック装置について、その実施形態を示す図面に基づいて詳述する。本発明に係る開閉体ロック装置は、引き戸を左右方向にスライドさせて開閉する引き違い窓、引き違い戸、片引き窓及び片引き戸、並びに、引き戸を上下方向にスライドさせて開閉する上げ下げ窓等に設置されて利用される。また、本発明に係る開閉体ロック装置は、住居、店舗、工場及び倉庫等の家屋の内外を仕切る窓及びドア（戸）だけでなく、家屋の内部に設けられた各部屋の内外を仕切る窓及びドア、更には襖及び障子等にも設置可能である。
【００１４】
（実施形態１）
以下に、本発明に係る開閉体ロック装置を、引き違い窓（開閉体）をロックする窓ロック装置に適用した実施形態１について説明する。図１は、実施形態１に係る窓ロック装置の外観斜視図である。図１には、窓ロック装置１が引き違い窓１００（以下では、窓１００という）に取り付けられた状態を示す。窓１００は、例えば窓枠（サッシ）１０１ａ，１０２ａにガラス１０１ｂ，１０２ｂが嵌め込まれた２つの窓ガラス１０１，１０２を有し、窓ガラス１０１，１０２は、平行に設けられた２本のレール（図示せず）のそれぞれに嵌め込まれている。図１には、部屋の内側から窓１００及び窓ロック装置１を見た状態を示しており、以下では、窓ガラス１０１，１０２をそれぞれ内側窓ガラス１０１，外側窓ガラス１０２と言う。窓１００には、窓ガラス１０１，１０２を閉めた状態でロック（固定）するためのクレセント錠１０３が、部屋の内側に設けてある。
【００１５】
本実施形態１の窓ロック装置１は、センサユニット１０及び磁石ユニット２０の２つのユニットを有する。図２は、引き違い窓１００に対する窓ロック装置１の取付状態を示す模式図、図３は窓ロック装置１の外観斜視図である。図２には、窓１００に取り付けられた窓ロック装置１を上側から見た状態を示し、図３Ａには磁石ユニット２０の斜視図、図３Ｂにはセンサユニット１０の斜視図をそれぞれ示す。
窓ロック装置１は、図１に示すように、窓１００に設けられたクレセント錠１０３の近傍に取り付けられる。窓ロック装置１の磁石ユニット２０は、外側窓ガラス１０２のガラス１０２ｂにおいて部屋の内側の面に取り付けられ、センサユニット１０は、内側窓ガラス１０１の窓枠１０１ａの端面に取り付けられる。
【００１６】
磁石ユニット２０は、矩形平板の台部材２０ａと、台部材２０ａの一面に平行に設けられた直方体状の磁石部２１及び凸部２２とを有する。図３Ａに示す例では、磁石部２１及び凸部２２は、台部材２０ａの一面の対向する二端辺に沿ってそれぞれ設けられている。台部材２０ａ及び凸部２２は磁場を発生させない部材により構成してあり、一体形成されていてもよい。図２に示すように、磁石ユニット２０は、磁石部２１が凸部２２よりも外側窓ガラス１０２の窓枠１０２ａ（縦枠）側に位置し、磁石部２１の長手方向が窓枠１０２ａに沿った状態で外側窓ガラス１０２に固定される。なお、台部材２０ａの他面が両面テープ等にてガラス１０２ｂの表面に取り付けられることにより、磁石ユニット２０は外側窓ガラス１００ｂに固定される。外側窓ガラス１０２は、窓枠１０２ａの厚みがガラス１０２ｂの厚みよりも厚く構成してあり、磁石ユニット２０は、ガラス１０２ｂに取り付けられた場合、ガラス１０２ｂの表面からの高さ（厚み）が、窓枠１０２ａの端面（部屋の内側の面）よりも低くなるように構成してある。よって、窓１００が開閉される際に、内側窓ガラス１０１の窓枠１０１ａが磁石ユニット２０に当たらない。
【００１７】
センサユニット１０は、直方体状の筐体を有し、筐体の一側面の一部にレンズ１３ｂが嵌め込まれている。図１に示すように、センサユニット１０は、レンズ１３ｂが設けられた側面が部屋の内側を向いた状態で、内側窓ガラス１０１の窓枠１０１ａ（縦枠）の外面（ガラス１０１ｂが嵌め込まれた面の反対側の面）に両面テープ等にて取り付けられる。
図４は、センサユニット１０の内部構成を示すブロック図である。本実施形態１のセンサユニット１０は、制御部１１、記憶部１２、人感センサ１３、窓検知センサ１４、窓ロック機構１５、通信部１６、操作部１７、報知部１８等を備え、これらの各部はバスを介して相互に接続されている。なお、これらの各部は、センサユニット１０の筐体内部の適宜位置にそれぞれ収納されている。また、センサユニット１０は、筐体内部に電池（図示せず）を収納できるように構成してあり、センサユニット１０を構成する各部は、電池から供給される電力によって動作する。
【００１８】
制御部１１は、ＣＰＵ（Central Processing Unit ）又はＭＰＵ（Micro Processor Unit）等の演算部、演算部が実行する制御プログラム及び各種データを予め記憶するＲＯＭ（Read Only Memory）、演算部による制御プログラムの実行時に発生する情報を記憶するＲＡＭ（Random Access Memory）等を有する。制御部１１は、演算部がＲＯＭ又は記憶部１２に記憶してある制御プログラムを適宜ＲＡＭに読み出して実行することにより、センサユニット１０を構成する各部の動作を制御する。
記憶部１２は、例えばフラッシュメモリであり、制御部１１が実行する制御プログラム及び各種データ、制御部１１が制御プログラムを実行する際に生じる情報等を記憶する。
【００１９】
人感センサ１３は、所定の検知範囲内に人が存在するか否かを検知するセンサであり、本実施形態１では赤外線センサ１３ａが用いられる。赤外線センサ１３ａは、図３Ｂに示すように、センサユニット１０の筐体内部において、レンズ１３ｂに対向する位置に設けられている。よって、赤外線センサ１３ａは、レンズ１３ｂを介して部屋の中における所定の検知範囲内の人の有無を検知する。赤外線センサ１３ａは、人等から放出される赤外線をレンズ１３ｂを介して検知し、人感センサ１３は、赤外線センサ１３ａが検知した赤外線の強さに応じて人の有無を検知する。例えば、人感センサ１３は、人がいない状態で赤外線センサ１３ａが検知した赤外線を基準としておき、随時赤外線センサ１３ａが検知する赤外線が、基準の赤外線と異なる場合、検知範囲内に人が存在すると判断する。また、人感センサ１３は、赤外線センサ１３ａが検知した赤外線に、人から放出される強さ（赤外線エネルギー）の赤外線が含まれる場合、人が存在すると判断してもよい。人感センサ１３は、部屋の中から窓１００を開けようとする人を確実に検知できるように、窓１００から所定範囲内の人の有無を検知できる程度の精度を有する。また、人感センサ１３は、部屋の中における人の有無を検知できるように構成されていてもよい。なお、人感センサ１３を窓１００の近傍における人の有無を検知する構成とした場合、部屋の中全体における人の有無を検知する構成と比較して、人感センサ１３（赤外線センサ１３ａ）による消費電力の低減が可能となる。
【００２０】
赤外線センサ１３ａは、人等から放出される赤外線を受光する構成のほかに、レンズ１３ｂを介して赤外線を出射し、その反射波を検知する構成でもよく、この場合、人感センサ１３は、赤外線センサ１３ａが検知した反射波にて人の存在（有無）を検知する。なお、人感センサ１３は、赤外線センサ１３ａの代わりに、例えば超音波又は可視光等を出射してその反射波を検知することにより人の存在を検知する構成であってもよい。また、センサユニット１０は、人感センサ１３を備える構成のほかに、外部の人感センサによる検知結果を取得する取得部を備え、外部の人感センサによる検知結果を制御部１１が取得部を介して取得する構成でもよい。この場合、外部の人感センサは、センサユニット１０（窓ロック装置１）から所定範囲内における人の有無を検知する構成でもよいし、窓ロック装置１が設けてある部屋の中における人の有無を検知する構成でもよい。
【００２１】
窓検知センサ１４は、窓ロック装置１が設置された窓（ここでは引き違い窓１００）の開閉状態を検知するセンサであり、本実施形態１では磁気センサ１４ａが用いられる。
図５は、センサユニット１０の筐体内部の構成例を示す模式図である。図５Ａには、内側窓ガラス１０１に取り付けられたセンサユニット１０の筐体内部を外側窓ガラス１０２側から見た状態を示し、図５Ｂには、内側窓ガラス１０１に取り付けられたセンサユニット１０の筐体内部を、窓枠１０１ａへの取付面の反対側の面から見た状態を示す。また、図面の煩雑化を避けるため、図５Ａには、窓検知センサ１４及び窓ロック機構１５の構成のみを示し、図５Ｂには、窓ロック機構１５の構成のみを示す。
【００２２】
センサユニット１０の筐体内部において、窓１００が閉じられた状態で磁石ユニット２０の磁石部２１に対向する位置に、磁気センサ１４ａが設けられている。磁気センサ１４ａは、磁石部２１によって発生される磁場の大きさを検知し、窓検知センサ１４は、磁気センサ１４ａが検知した磁場の大きさにて窓１００が開状態であるか閉状態であるかを検知する。具体的には、窓検知センサ１４は、磁気センサ１４ａが検知した磁場の大きさが所定値以上であれば、窓１００が閉状態であると検知し、磁気センサ１４ａが検知した磁場の大きさが所定値未満であれば、窓１００が開状態であると検知する。なお、所定値は、磁石部２１の強さを考慮して予め決定されて窓検知センサ１４内のメモリ又は記憶部１２に記憶されている。例えば、磁石部２１に対する磁気センサ１４ａの初期位置（窓１００が閉じられた状態での位置）から磁気センサ１４ａが数ｃｍ（例えば１〜３ｃｍ程度）離れた位置で検知する磁場の大きさを所定値とすることができる。この場合、窓１００が数ｃｍ開けられた時点で、窓１００の開状態が検知される。また、窓検知センサ１４は、磁気センサ１４ａのほかに、例えば窓ガラス１０１，１０２の振動量を検知し、検知した振動量にて窓１００が開状態であるか閉状態であるかを検知する構成であってもよい。
【００２３】
窓ロック機構（ロック機構）１５は、窓１００を所定量以上開けられないようにロック（固定）するための構成を有する。窓ロック機構１５は、軸１５ｅを中心として回動可能に取り付けられたスライダ１５ｄ、スライダ１５ｄを回動させるためのモータ１５ｂ、モータ１５ｂの動力をスライダ１５ｄに伝達するためのギア１５ｃ、モータ１５ｂを駆動させるモータドライバ１５ａ等を有する。スライダ１５ｄは、例えばアルミニウム製の平板で、縦方向×横方向が２０ｍｍ×１５ｍｍ程度の大きさで、厚さが１ｍｍ程度の略矩形に形成されている。スライダ１５ｄは、センサユニット１０の筐体内部において、内側窓ガラス１０１の窓枠１０１ａ（縦枠）への取付面の反対側の面の近傍に、該面に沿って設けられている。従って、センサユニット１０の筐体内部において、磁気センサ１４ａは、窓枠１０１ａ（縦枠）側に設けられ、スライダ１５ｄは、窓枠１０１ａから離れた位置に設けられている。
【００２４】
モータドライバ１５ａは、制御部１１からの指示に従ってモータ１５ｂを動作させ、モータ１５ｂが動作した場合、モータ１５ｂの動力がギア１５ｃを介してスライダ１５ｄに伝達され、スライダ１５ｄが回動する。なお、スライダ１５ｄは、図５Ｂに実線で示した状態（位置）と破線で示した状態（位置）との間を回動（スライド）するように構成してある。スライダ１５ｄが図５Ｂに破線で示した位置（以下、ロック位置という）にあるときに、窓１００が開けられた場合、スライダ１５ｄが磁石ユニット２０の凸部２２の側面に当接し、これ以上窓１００が開けられないようになる（図７Ｃ参照）。よって、磁石部２１から凸部２２までの距離を数ｃｍ（例えば３〜５ｃｍ程度）とすることにより、スライダ１５ｄが凸部２２の側面に当接するまでに開けられる窓ガラス１０１，１０２の開放量を数ｃｍに抑えることができる。このように窓ロック機構１５によって窓１００をロックした場合、侵入者が容易に侵入することを防ぎ、侵入の抑止力となる。なお、スライダ１５ｄが図５Ｂに実線で示した位置（以下、非ロック位置という）にある場合は、スライダ１５ｄが磁石ユニット２０の凸部２２に当接しないので、窓１００を開けることができる。なお、センサユニット１０の筐体において、磁石ユニット２０に対向する側壁には、スライダ１５ｄが出し入れされる溝が設けられている。
【００２５】
通信部１６は、所定周波数の電波を用いて外部機器との間で無線通信を行うためのインタフェースであり、例えばＺ−Ｗａｖｅ（登録商標）、無線ＬＡＮ（Local Area Network）又はBluetooth（登録商標）等の通信プロトコルに従った通信を行う。通信部１６は、制御部１１から与えられた情報に係る信号を、センサユニット１０の筐体内部の適宜箇所に設けられたアンテナ（図示せず）を介して送信する。なお、本実施形態１の通信部１６は、ユーザによって設定された外部機器に対して信号を送信する構成であり、通信相手の外部機器の宛先情報は、ユーザによる設定時に記憶部１２に記憶される。
【００２６】
操作部１７は、ユーザがセンサユニット１０を操作するために必要な操作ボタンを備える。例えば、操作部１７は、通信部１６が信号を送信する外部機器を設定するための設定ボタンを有する。ユーザが操作ボタンを操作した場合、操作部１７は、操作された操作ボタンに対応する制御信号を制御部１１へ送出し、制御部１１は、操作部１７からの制御信号に従った処理を行う。なお、ユーザが設定ボタンを操作した場合、制御部１１は、通信部１６にて、ユーザが通信相手に設定したい外部機器との間で宛先情報の交換を行う。そして制御部１１は、ユーザが通信相手に設定したい外部機器の宛先情報を通信部１６にて取得した場合、取得した宛先情報を記憶部１２に記憶する。通信相手に設定できる外部機器は、通信部１６との通信が可能な機器であり、例えば、部屋に設置された機器又はユーザによって携帯される機器である。
【００２７】
報知部１８は、例えば、センサユニット１０の筐体の外面に設けられたＬＥＤ（発光ダイオード）、筐体内部の適宜箇所に設けられたブザー等を備える。報知部１８は、制御部１１からの指示に従って、ＬＥＤの点灯／点滅又はブザーの鳴動を行うことにより、窓ロック装置１の動作状態、窓１００の開閉状態等をユーザに報知する。例えば、報知部１８は、センサユニット１０に装着された電池の残容量が所定量以下となった場合、所定色のＬＥＤを点灯させることにより、電池の交換時期をユーザに通知する。また、操作部１７の設定ボタンがユーザによって操作され、通信部１６にて外部機器との間で宛先情報の交換を行っている場合、報知部１８は、所定色のＬＥＤを点滅させることにより、外部機器の宛先情報の取得中であることをユーザに通知する。よって、ユーザは、ＬＥＤによる発光色又は発光態様、或いはブザーが発する音又はメロディの種類に応じて、窓ロック装置１の動作状態、窓１００の開閉状態を把握できる。なお、ＬＥＤによる発光色の数及び発光態様の数、ブザーが発する音又はメロディの種類は、ユーザに通知又は報知（警告）すべき状態の数に応じた数とすればよい。
【００２８】
本実施形態１の窓ロック装置１は、図１に示すようなクレセント錠１０３の近傍に限らず、窓ガラス１０１，１０２の上側又は下側に設けられてもよく、上側及び下側の両方に設けられてもよい。なお、窓ガラス１０１，１０２の上側及び／又は下側に設けられる場合であっても、磁石ユニット２０は外側窓ガラス１０２のガラス１０２ｂに取り付けられ、センサユニット１０は内側窓ガラス１０１の窓枠１０１ａの端面に取り付けられる。
また、窓ロック装置１は、窓１００が閉められた状態で重なり合う窓ガラス１０１，１０２の窓枠（縦枠）１０１ａ，１０２ａにそれぞれセンサユニット１０及び磁石ユニット２０が嵌め込まれた構成でもよい。
【００２９】
以下に、本実施形態１の窓ロック装置１による窓ロック処理について説明する。図６は、窓ロック装置１による窓ロック処理の手順を示すフローチャートであり、図７は、窓ロック装置１による窓ロック処理を説明するための模式図である。図７Ａ〜図７Ｃのそれぞれの上側には、窓１００に設置されたセンサユニット１０及び磁石ユニット２０を上方から見た状態を示し、下側には、センサユニット１０及び磁石ユニット２０を部屋の中側から見た状態を示している。窓ロック装置１は、窓１００が閉じられ、スライダ１５ｄが非ロック位置にある場合に、図６に示す処理を行う。なお、図７Ａに、窓１００が閉じられ、スライダ１５ｄが非ロック位置にある場合の窓ロック装置１の状態を示す。
【００３０】
図７Ａに示す状態の窓ロック装置１（センサユニット１０）において、センサユニット１０の制御部１１は、人感センサ１３にて所定の検知範囲内（具体的には、センサユニット１０から所定範囲内）に人が存在するか否かを検知する（Ｓ１）。人の存在を検知していない場合（Ｓ１：ＮＯ）、即ち、センサユニット１０（窓１００）から所定範囲内（即ち、窓１００の近傍）に人がいない場合、制御部１１は、窓検知センサ１４にて窓１００が開状態であるか否かを検知する（Ｓ２）。
窓１００が閉状態である場合、図７Ａに示すように磁気センサ１４ａは磁石部２１に対向する位置に配置される。窓１００が開けられた場合、図７Ａに示す状態から図７Ｂに示すように磁気センサ１４ａは磁石部２１から離れる方向に移動する。窓検知センサ１４は、磁気センサ１４ａが検知した磁場の大きさが所定値未満となった場合、即ち、磁気センサ１４ａが磁石部２１から所定距離以上離れた場合、窓１００が開状態であると判断する。
【００３１】
窓１００の開状態を検知しない場合（Ｓ２：ＮＯ）、即ち、窓１００が閉状態の場合、制御部１１は、ステップＳ１の処理に戻る。窓１００の開状態を検知した場合（Ｓ２：ＹＥＳ）、即ち、磁気センサ１４ａが磁石部２１から所定距離以上離れるまで窓１００が開けられた場合、制御部１１は、窓ロック機構１５にて窓１００が所定量以上開けられないようにロックする（Ｓ３）。具体的には、窓ロック機構１５がモータドライバ１５ａにてモータ１５ｂを動作させ、図７Ｃに示すようにスライダ１５ｄをロック位置まで回動（スライド）させる。スライダ１５ｄがロック位置にある状態で窓１００が開けられた場合、スライダ１５ｄが凸部２２の側面に当接するので、窓１００がこれ以上開けられない。
センサユニット１０から所定範囲内（即ち、窓１００の近傍）に人がいないときに窓１００が開けられた場合、窓１００を開けた人は、部屋の外にいる泥棒等の侵入者である可能性が高い。よって、この場合、窓１００をロックすることにより、クレセント錠１０３をかけ忘れた場合であっても、侵入者が容易に侵入することを防止でき、また、侵入を抑止することが可能となる。
【００３２】
また制御部１１は、記憶部１２に記憶してある宛先情報が示す外部機器（ユーザによって設定された機器）に、窓１００がロックされたことを通信部（通知部）１６にて通知する（Ｓ４）。ここでは、例えば、制御部１１は、「不在中に窓が開けられました」又は「不在中に窓が開けられたのでロックしました」等のメッセージを外部機器へ送信する。これにより、外部機器を携帯するユーザが、外出中であっても、自宅に侵入者がいることを把握でき、侵入者に対する対処を行うことができる。なおこのとき、制御部１１は、報知部１８にて侵入者がいることを報知（警告）してもよい。報知部１８は例えば、所定色のＬＥＤの点灯又は点滅、ブザーによる所定音又は所定メロディの出力等を行うことにより報知する。この場合、異なる部屋にいる住人又は家屋の周囲にいる人に侵入者の侵入を報知でき、また、侵入者が侵入を断念する可能性が高まる。
【００３３】
制御部１１は、人感センサ１３にて所定の検知範囲内における人の存在の検知を継続しており（Ｓ５）、人の存在を検知していない場合（Ｓ５：ＮＯ）、人の存在を検知するまで待機する。即ち、制御部１１は、窓ロック機構１５による窓１００のロックを継続し、報知部１８による報知を行っている場合、報知も継続する。
人の存在を検知した場合（Ｓ５：ＹＥＳ）、制御部１１は、窓ロック機構１５による窓１００のロックを解除する（Ｓ６）。具体的には、窓ロック機構１５がモータドライバ１５ａにてモータ１５ｂを動作させ、スライダ１５ｄを非ロック位置まで回動（スライド）させる。なお、報知部１８による報知を行っている場合、制御部１１は報知部１８による報知も終了する。このように、窓１００がロックされている状況で、センサユニット１０から所定範囲内に人が来た場合、窓１００のロックを自動的に解除することにより、ユーザ（例えば、センサユニット１０から所定範囲内にいる人）は、窓ロック装置１によるロックを解除するための操作を行う必要がなく、操作性がよい。ステップＳ６の処理後、制御部１１はステップＳ１の処理に戻る。
【００３４】
ステップＳ１で、人の存在を検知した場合（Ｓ１：ＹＥＳ）、制御部１１は、窓検知センサ１４にて窓１００が開状態であるか否かを検知し（Ｓ７）、窓１００の開状態を検知しない場合（Ｓ７：ＮＯ）、ステップＳ１の処理に戻る。窓１００の開状態を検知した場合（Ｓ７：ＹＥＳ）、制御部１１は、報知部１８にて窓１００が開状態であることをユーザに報知する（Ｓ８）。報知部１８は例えば、所定色のＬＥＤの点灯又は点滅、ブザーによる所定音又は所定メロディの出力等を行うことによりユーザに報知する。これにより、窓１００を開けた人に窓１００の開状態を通知でき、窓１００の閉め忘れを防止できる。
センサユニット１０から所定範囲内（即ち、窓１００の近傍）に人が存在するときに窓１００が開けられた場合、窓１００の近傍にいる人が窓１００を開けた可能性が高い。よって、この場合、窓１００をロックしないことにより、窓１００に対して通常の開け閉めができる。従って、窓１００を開けたいユーザは、窓ロック装置１の動作を終了させるためのオフ操作を行うことなく、通常の開け閉めが可能であり、操作性がよい。
【００３５】
制御部１１は、窓検知センサ１４にて窓１００が開状態であるか否かの検知を継続しており（Ｓ９）、窓１００の開状態を検知した場合（Ｓ９：ＹＥＳ）、即ち、開状態が継続している場合、待機する。窓１００の開状態を検知しない場合（Ｓ９：ＮＯ）、即ち、窓１００が閉状態となった場合、制御部１１は、ステップＳ８で行った報知部１８による報知を終了し（Ｓ１０）、ステップＳ１の処理に戻る。
【００３６】
本実施形態１の窓ロック装置１は、窓１００の近傍に人がいない状況で窓１００が開けられた場合、窓１００をロックするので、窓ロック装置１を窓１００に取り付けることによりセキュリティ（防犯対策）の強化が可能となる。また、窓ロック装置１は、窓１００の近傍に人がいる場合、窓１００をロックしないので、通常時の使いやすさを維持できる。よって、本実施形態１の窓ロック装置１では、セキュリティの強化と操作性とを両立できる。
【００３７】
（実施形態２）
以下に、上述した実施形態１の窓ロック装置１において、窓ロック機構１５の変形例について説明する。なお、窓ロック機構１５以外の構成については上述した実施形態１と同様であるので説明を省略する。
図８は、窓ロック機構１５の変形例を示す模式図である。図８Ａには、内側窓ガラス１０１に取り付けられたセンサユニット１０の筐体内部を外側窓ガラス１０２側から見た状態を示し、図８Ｂには、内側窓ガラス１０１に取り付けられたセンサユニット１０の筐体内部を、窓枠１０１ａへの取付面の反対側の面から見た状態を示す。また、図面の煩雑化を避けるため、図８Ａには、窓検知センサ１４及び窓ロック機構１５の構成のみを示し、図８Ｂには、窓ロック機構１５の構成のみを示す。
【００３８】
本実施形態２の窓ロック機構１５は、矩形平板のスライダ１５ｆ、スライダ１５ｆを外側窓ガラス１０２に近づく方向及び遠ざかる方向に摺動可能に保持する保持部１５ｇ、スライダ１５ｆを摺動させるためのモータ１５ｂ、モータ１５ｂの動力をスライダ１５ｆに伝達するためのギア１５ｃ、モータ１５ｂを駆動させるモータドライバ１５ａ等を有する。スライダ１５ｆは、実施形態１のスライダ１５ｄと同程度の大きさ及び厚みを有し、センサユニット１０の筐体内部において、実施形態１のスライダ１５ｄと同様の位置に設けられている。保持部１５ｇは、細長い矩形平板１５ｈと、矩形平板１５ｈの一長端から突設された突設板１５ｉとを有し、前記一長端に直交する平面での断面がＬ字形状となるように構成してある。保持部１５ｇは、矩形平板１５ｈの上面にてスライダ１５ｆを支持し、突設板１５ｉにて、摺動するスライダ１５ｆが所定位置からずれないようにガイドする。
【００３９】
本実施形態２において、モータドライバ１５ａがモータ１５ｂを動作させた場合、モータ１５ｂの動力がギア１５ｃを介してスライダ１５ｆに伝達され、スライダ１５ｆが摺動する。なお、スライダ１５ｆは、図８Ｂに実線で示した状態（非ロック位置）と破線で示した状態（ロック位置）との間を摺動（スライド）するように構成してある。スライダ１５ｆがロック位置にあるときに、窓１００が開けられた場合、スライダ１５ｆが磁石ユニット２０の凸部２２の側面に当接し、これ以上窓１００が開けられなくなる（図７Ｃ参照）。また、スライダ１５ｆが非ロック位置にある場合は、スライダ１５ｆが磁石ユニット２０の凸部２２に当接しないので、窓１００を開けることができる（図７Ｂ参照）。なお、本実施形態２においても、センサユニット１０の筐体において、磁石ユニット２０に対向する側壁には、スライダ１５ｆが出し入れされる溝が設けてある。
【００４０】
窓ロック装置１の窓ロック機構１５を上述の構造とした場合であっても、上述した実施形態１の窓ロック装置１と同様に、セキュリティ（防犯対策）を強化できると共に、窓１００の近傍に人がいる状況では通常時の使いやすさを維持できるという効果が得られる。
なお、スライダの形状及びスライダをロック位置及び非ロック位置に移動させるための構造は、実施形態１，２の構成に限らない。例えばスライダの形状は、直方体状、円柱状であってもよい。また、スライダを移動させるための構造は例えば、センサユニット１０の筐体内部の適宜箇所に設けられたレールに沿ってスライダ１５ｆをロック位置及び非ロック位置に移動させる構造でもよい。
【００４１】
（実施形態３）
以下に、上述した実施形態１の窓ロック装置１をホームネットワークシステムに接続することによって実現される窓ロックシステムについて説明する。図９は、実施形態３の窓ロックシステムの構成を示すブロック図である。本実施形態３の窓ロックシステムは、上述した実施形態１の窓ロック装置１と同様の構成を有する窓ロック装置１及びコントローラ３０等を有する。本実施形態３の窓ロック装置１において、通信部１６が通信を行う相手機器のみが上述の実施形態１の窓ロック装置１とは異なる。よって、図９では、窓ロック装置１において、センサユニット１０の通信部１６以外の構成の図示を省略している。
【００４２】
上述した実施形態１の窓ロック装置１では、通信部１６は、ユーザによって任意に設定された外部機器との間で無線通信を行う構成であった。これに対して、本実施形態３の通信部１６は、コントローラ３０との間で無線通信を行う。従って、本実施形態３の窓ロック装置１の記憶部１２には、通信部１６が通信を行う相手機器の宛先情報として、コントローラ３０（通信部３３）の宛先情報が記憶されている。
【００４３】
本実施形態３の窓ロックシステムにおいて、コントローラ３０は、窓ロック装置１が窓１００に取り付けられた部屋、又はこの部屋を有する家屋（建物）に設置されている。コントローラ３０は、制御部３１、記憶部３２、通信部３３、操作部３４、ネットワーク通信部３５等を備え、これらの各部はバスを介して相互に接続されている。コントローラ３０は、例えば電源コンセントに接続される電源コード（図示せず）を有し、電源コードを介して電源コンセントから供給される電力によって、コントローラ３０を構成する各部は動作する。
【００４４】
制御部３１は、ＣＰＵ又はＭＰＵ等の演算部、演算部が実行する制御プログラム及び各種データを予め記憶するＲＯＭ、演算部による制御プログラムの実行時に発生する情報を記憶するＲＡＭ等を有する。制御部３１は、演算部がＲＯＭ又は記憶部３２に記憶してある制御プログラムを適宜ＲＡＭに読み出して実行することにより、コントローラ３０を構成する各部の動作を制御する。
記憶部３２は、例えばＨＤＤ（Hard Disk Drive）又はフラッシュメモリであり、制御部３１が実行する制御プログラム及び各種データ、制御部３１が制御プログラムを実行する際に生じる情報等を記憶する。
【００４５】
通信部３３は、窓ロック装置１のセンサユニット１０に設けられた通信部１６と同様の構成を有し、センサユニット１０の通信部１６との間で無線通信を行う。通信部３３は、制御部３１から与えられた情報に係る信号を、コントローラ３０の適宜箇所に設けられたアンテナ（図示せず）を介して送信する。また通信部３３は、センサユニット１０の通信部１６から送信された信号を、コントローラ３０の適宜箇所に設けられたアンテナ（図示せず）を介して受信し、受信した信号を制御部３１へ送出する。なお、通信部３３が通信を行うセンサユニット１０（通信部１６）の宛先情報は、例えば窓ロックシステムの使用を開始する際の初期設定時に記憶部３２に記憶される。
【００４６】
操作部３４は、ユーザがコントローラ３０を操作するために必要な操作ボタンを備える。例えば、操作部３４は、コントローラ３０の動作の開始及び終了を指示するための電源ボタン、コントローラ３０による窓ロックシステムの動作に関する初期設定の実行を指示するための初期設定ボタン等を有する。ユーザがいずれかの操作ボタンを操作した場合、操作部３４は、操作された操作ボタンに応じた制御信号を制御部３１へ送出し、制御部３１は、操作部３４からの制御信号に従った処理を行う。
【００４７】
ネットワーク通信部３５は、インターネット等のネットワークに接続するためのインタフェースであり、ネットワークを介して各種の通信装置と通信を行う。ネットワーク通信部３５は、ケーブルを介してネットワークに接続される構成でもよく、無線ＬＡＮ等の無線通信にてネットワークに接続される構成でもよい。なお、本実施形態３の窓ロックシステムにおいて、ネットワーク通信部３５は、ユーザによって設定された外部機器と通信を行う構成であり、通信相手の外部機器の宛先情報は、例えば初期設定時に記憶部３２に記憶される。
本実施形態３の窓ロックシステムでは例えば、センサユニット１０の通信部１６及びコントローラ３０の通信部３３はＺ−Ｗａｖｅによる無線通信を行い、ネットワーク通信部３５は、無線ＬＡＮによる無線通信を行うように構成することができる。
【００４８】
上述の構成を有する本実施形態３の窓ロックシステムにおいて、窓ロック装置１は、上述の実施形態１と同様に、図６に示す処理を行う。なお、本実施形態３の窓ロック装置１では、図６中のステップＳ４で、センサユニット１０の制御部１１は、記憶部１２に記憶してある宛先情報に基づいて、窓１００がロックされたことを通信部１６にてコントローラ３０に通知する。また、本実施形態３では、センサユニット１０の制御部１１は、ステップＳ６の処理後に、窓１００のロックが解除されたことを通信部１６にてコントローラ３０に通知する。また、制御部１１は、ステップＳ８の処理後に、窓１００の近傍に人がいる状況で窓１００が開けられたこと（開状態であること）をコントローラ３０に通知し、ステップＳ１０の処理後に、窓１００の近傍に人がいる状況で窓１００が閉められたこと（閉状態であること）をコントローラ３０に通知する。
なお、センサユニット１０の制御部１１は、人感センサ１３にて所定の検知範囲内（窓１００の近傍）に人が存在するか否かを検知する都度、及び窓検知センサ１４にて窓１００が開状態であるか否かを検知する都度、それぞれの検知結果をコントローラ３０に通知する構成でもよい。
【００４９】
上述したように、本実施形態３の窓ロックシステムでは、窓ロック装置１によって窓１００がロックされたこと、窓１００のロックが解除されたこと、窓１００が開状態であること、窓１００が閉状態であること等、窓１００のロック状態及び開閉状態が逐次コントローラ３０に通知される。よって、コントローラ３０は、窓１００のロック状態及び開閉状態を管理できる。
【００５０】
以下に、本実施形態３の窓ロックシステムにおいて、コントローラ３０が行う処理について説明する。図１０は、コントローラ３０が行う処理の手順を示すフローチャートである。コントローラ３０の制御部３１は、窓ロック装置１（センサユニット１０）からの窓１００のロック状態又は開閉状態に関する通知を通信部３３にて受信したか否かを判断する（Ｓ２１）。通知を受信していないと判断した場合（Ｓ２１：ＮＯ）、制御部３１は、他の処理を行いつつ待機する。
【００５１】
窓ロック装置１からの通知を受信したと判断した場合（Ｓ２１：ＹＥＳ）、制御部３１は、通知された状態を、窓ロック装置１又は窓１００の現在の状態として記憶部３２に記憶する（Ｓ２２）。具体的には、制御部３１は、窓１００のロック状態、窓１００の非ロック状態、窓１００の開状態、窓１００の閉状態のいずれかを記憶する。
制御部３１は、記憶部３２に記憶した状態が、ユーザに通知すべき状態であるか否かを判断する（Ｓ２３）。例えば、記憶部３２に記憶した状態が窓１００のロック状態である場合、制御部３１は、ユーザに通知すべき状態であると判断する。即ち、窓ロック装置１によって窓１００がロックされたことを窓ロック装置１から通知された場合、コントローラ３０は、ユーザに通知すべきであると判断する。
【００５２】
ユーザに通知すべき状態であると判断した場合（Ｓ２３：ＹＥＳ）、制御部３１は、記憶部３２に記憶してある宛先情報を用いて、ユーザによって設定された外部機器に、窓１００がロックされたことを通知する（Ｓ２４）。ここでは、例えば、制御部３１は、「不在中に窓が開けられたのでロックしました」等のメッセージを外部機器へ送信する。これにより、外部機器を携帯するユーザが、外出中であっても、自宅に侵入者がいることを把握でき、侵入者に対する対処を行うことができる。
ユーザに通知すべき状態ではないと判断した場合（Ｓ２３：ＮＯ）、制御部３１はステップＳ２４の処理をスキップする。
【００５３】
制御部３１は、例えば操作部３４を介して動作終了の指示を受け付けたか否かを判断し（Ｓ２５）、動作終了の指示を受け付けたと判断した場合（Ｓ２５：ＹＥＳ）、上述した処理を終了する。動作終了の指示を受け付けていないと判断した場合（Ｓ２５：ＮＯ）、制御部３１は、ステップＳ２１の処理に戻り、上述した処理を繰り返す。これにより、コントローラ３０は、窓ロック装置１から逐次通知される情報に基づいて、窓ロック装置１及び窓１００の現在の状態を随時把握できる。
【００５４】
図１０に示した処理では、窓ロック装置１が窓１００のロック状態及び開閉状態を逐次コントローラ３０に通知し、コントローラ３０は、通知された状態を記憶する構成であった。このほかに、コントローラ３０が定期的に窓ロック装置１に対して問い合わせを行い、この問い合わせに対して、窓ロック装置１が窓１００のロック状態及び開閉状態を通知する構成としてもよい。
また、図１０に示した処理では、コントローラ３０は、ユーザに通知すべき状態についてのみユーザに通知する構成であった。このほかに、コントローラ３０は、窓ロック装置１から通知を受信する都度、通知された状態を全てユーザに通知する構成としてもよい。また、外部機器が、コントローラ３０に対して窓１００のロック状態又は開閉状態に関する問い合わせを行い、外部機器からの問い合わせに対して、コントローラ３０が記憶部３２に記憶してある状態を外部機器に通知する構成とすることもできる。この場合、外部機器を携帯するユーザは、任意のタイミングで窓１００のロック状態及び開閉状態を確認できる。
【００５５】
（実施形態４）
以下に、上述した実施形態３の窓ロックシステムの変形例について説明する。上述した実施形態３の窓ロックシステムでは、窓ロック装置１が人感センサ１３を備える構成であった。このほかに、人感センサ１３はコントローラ３０に設けられていてもよい。また、コントローラ３０に、外部の人感センサによる検知結果を取得する取得部を備え、外部の人感センサによる検知結果をコントローラ３０の制御部３１が取得部を介して取得する構成としてもよい。
また、コントローラ３０は、窓ロック装置１のほかに、空気調和機、照明装置、防犯カメラ等の電子機器とも通信を行うように構成されていてもよい。この場合、住居、店舗、工場及び倉庫等の家屋に設けられた電子機器を接続するホームネットワークシステムに、本発明に係る開閉体ロック装置を接続することができる。
【００５６】
本発明に係る開閉体ロック装置（１）は、部屋に設けられた開閉体（１００）の開閉状態を検知する検知センサ（１４）と、前記部屋の中で前記開閉体から所定範囲内の人の存在又は不在を検知する人感センサ（１３）によって人の不在が検知されている場合に前記検知センサ（１４）が閉状態の前記開閉体（１００）が開けられたことを検知したとき、前記開閉体（１００）が所定量以上開けられないようにロックするロック機構（１５）とを備えることを特徴とする。
【００５７】
本発明によれば、開閉体ロック装置は、部屋の中において開閉体から所定範囲内の人の不在が検知されている場合に、部屋の窓又はドア等の開閉体が開けられたことを検知したとき、開閉体が所定量以上開けられないようにロックする。なお、所定量とは、侵入者が侵入できない程度の量である。部屋の中において開閉体から所定範囲内（即ち、開閉体の近傍）に人がいない状態で開閉体が開けられた場合、部屋の外にいる侵入者によって開閉体が開けられた可能性が高い。よって、この場合、侵入者が侵入できない状態に開閉体をロックすることにより、侵入者の侵入を防ぐことが可能となる。
【００５８】
本発明に係る開閉体ロック装置は、前記ロック機構は、前記人感センサによって人の存在が検知されている場合、前記開閉体をロックしないようにしてあることを特徴とする。
【００５９】
本発明によれば、開閉体ロック装置は、部屋の中において開閉体から所定範囲内に人の存在が検知されている場合は開閉体をロックしない。部屋の中において開閉体から所定範囲内（即ち、開閉体の近傍）に人がいる状態で開閉体が開けられた場合、開閉体の近傍にいる人が開閉体を開けた可能性が高い。よって、部屋の中の開閉体の近傍に人がいる場合、開閉体をロックしないことにより、部屋の中にいる人が、開閉体ロック装置の動作を手動等で停止させることなく開閉体を開けることができ、操作性がよい。
【００６０】
本発明に係る開閉体ロック装置は、前記人感センサによって人の不在が検知されている場合に前記検知センサが閉状態の前記開閉体が開けられたことを検知したとき、所定機器に通知する通知部を更に備えることを特徴とする。
【００６１】
本発明によれば、開閉体ロック装置は、部屋の中において開閉体から所定範囲内に人がいない状態で開閉体が開けられた場合、開閉体が開けられたことを所定機器に通知する。よって、例えば外出中の住人又は警備会社に通報することが可能となる。
【００６２】
本発明に係る開閉体ロック装置は、前記通知部は、前記ロック機構によって前記開閉体がロックされたことを通知するようにしてあることを特徴とする。
【００６３】
本発明によれば、開閉体ロック装置は、部屋の中において開閉体から所定範囲内に人がいない状態で開閉体が開けられたことによって開閉体がロックされたことを所定機器に通知する。よって、例えば外出中の住人又は警備会社に、開閉体がロックされたことを知らせることが可能となる。
【００６４】
本発明に係る開閉体ロック装置は、前記ロック機構は、前記開閉体をロックしている場合に前記人感センサによって人の存在が検知されたとき、前記開閉体のロックを解除するようにしてあることを特徴とする。
【００６５】
本発明によれば、開閉体ロック装置は、開閉体がロックされている状態で部屋の中の開閉体から所定範囲内に人の存在が検知された場合、開閉体のロックを解除する。よって、一旦開閉体がロックされた場合であっても、部屋の中の開閉体の近傍に人が戻ってきた場合には、開閉体のロックが解除される。これにより、部屋の住人等は、開閉体ロック装置によるロック動作を解除する操作を手動等で行う必要がないので、操作性がよい。
【００６６】
今回開示された実施形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００６７】
１  窓ロック装置（開閉体ロック装置）
１３  人感センサ
１４  窓検知センサ（検知センサ）
１５  窓ロック機構（ロック機構）
１６  通信部（通知部）
１００  引き違い窓（開閉体）
【図１】
2016151122.tif 000003
【図２】
2016151122.tif 000004
【図３】
2016151122.tif 000005
【図４】
2016151122.tif 000006
【図５】
2016151122.tif 000007
【図６】
2016151122.tif 000008
【図７】
2016151122.tif 000009
【図８】
2016151122.tif 000010
【図９】
2016151122.tif 000011
【図１０】
2016151122.tif 000012